(57)【要約】【課題】効率的な設計によるディスク装置を提供する。【解決手段】ディスク装置１は、ディスク挿入／排出口１２に設けられて俯仰動作可能に軸支された蓋部１１ａと、ディスクＤの搬送動作を行うローラを１６回転可能に支持すると共に蓋部１１ａの俯仰動作に伴いローラ１６を昇降させるローラ支持部１１ｄと、が一体に設けられた回動部材１１を有し、蓋部１１ａの縁部１１ｂに折曲部が設けられ、蓋体１１が伏せたとき当該折曲部の先端縁が筐体２の段部２ａに当接してディスク挿入／排出口１２を閉じる。【選択図】図５
2010044836.tif 000002
【特許請求の範囲】
【請求項１】
ディスク装置の筐体が有するディスクの挿入／排出口に設けられて俯仰動作可能に軸支された蓋部と、ディスクの搬送動作を行うローラを回転可能に支持すると共に前記蓋部の俯仰動作に伴い当該ローラを昇降させる支持部と、が一体に設けられた回動部材を有し、
前記蓋部の先端部に折曲部が設けられ、当該ローラの昇降に伴って当該蓋部が伏せたとき当該折曲部の先端縁が前記挿入／排出口の開口縁のうち前記先端縁に対向する位置の開口縁に当接して当該挿入／排出口を閉じることを特徴とするディスク装置。
【請求項２】
前記挿入／排出口の開口部は、挿入又は排出される前記ディスクの盤面内周部から外周部に向かうにつれて当該開口部の隙間が小さくなるよう設けられることを特徴とする請求項１に記載のディスク装置。
【発明の詳細な説明】
【技術分野】
【０００１】
本発明は、ディスク装置に関する。
【背景技術】
【０００２】
コンパクトディスクやＤＶＤ、ブルーレイディスク等の読取媒体（以下、単にディスクと称する）に記録された音楽その他の各種データの読取、記録等を行うディスク装置が知られている。ディスク装置は、ディスクを挿入、排出するためのディスク挿入／排出口を有する。ディスク挿入／排出口を介して、外部の粉塵等がディスク装置内に入り込むことがあり、ディスク装置は当該粉塵等により動作不良や故障を生ずることがある。
【０００３】
特に、自動車等の車両に設ける車載のディスク装置においては、車内の空間に細かい埃や粉塵等が生じやすく、このような粉塵等によるディスク装置への悪影響が問題視されている。そこで、ディスク挿入／排出口からの異物の侵入を防止するためのディスク装置の防塵構造を有するディスク装置が提案されている。
【０００４】
従来のディスク装置の防塵構造として、ディスク挿入／排出口を開閉するシャッタを回動動作させる構成が知られている（例えば特許文献１）。
図８に特許文献１のディスク装置１００を示す。
図８に示すように、ディスク装置１００は、ディスク挿入／排出口１１１の内側に、シャッタ部材１１２を有する。シャッタ部材１１２は回動支持部１１３によって回動可能に支持される。シャッタ部材１１２は、ディスク挿入／排出口１１１を塞ぐシャッタ１１４と、回動支持部１１３を挟んでシャッタ１１４と対向する位置に設けられたピン１１５を有する。ピン１１５はスライドカム１１６の溝１１７内に位置するよう設けられ、スライドカム１１６の稼動によりピン１１５の位置が誘導されることによりシャッタ部材１１２が回動し、シャッタ１１４がディスク挿入／排出口を開閉する。
【特許文献１】特開２００７−８７５５４号公報
【発明の開示】
【発明が解決しようとする課題】
【０００５】
ところで、特許文献１に示すディスク装置は、ディスクを直接ディスク挿入／排出口から挿入又は排出する所謂スロットイン方式のディスク装置である。スロットイン方式のディスク装置は、挿入されたディスクをディスク装置内に搬送すると共に、ディスク装置内のディスクをディスク装置外へと搬送、排出するためのローラを有している。
【０００６】
ローラが駆動するとき、ディスクは挿入又は排出されるので、ディスク挿入／排出口は開く。即ち、ローラの駆動タイミングとディスク挿入／排出口の開閉タイミングとは相関を有する。
【０００７】
しかしながら、特許文献１のディスク装置は、ローラを駆動するための構成と別個に設けられたシャッタ部材１１２及びシャッタ部材１１２を動作させる構成を有する。従って、ローラによるディスクの搬送と、シャッタ部材１１２によるディスク挿入／排出口の開閉とは別々の駆動部によって駆動され、非効率であった。
また、別々の駆動部を設けるためのスペースが必要となり、ディスク装置の大型化を招く。車両内の機器スペースは限られており、大きなスペースを必要とするディスク装置を用いることは困難であった。加えて、ローラを駆動するための構成とシャッタ部材１１２及びシャッタ部材１１２を動作させる構成とが別個に設けられることで部品点数が増加し、コスト増をもたらす。
【０００８】
本発明は、効率的な設計によるディスク装置を提供することを目的とする。
【課題を解決するための手段】
【０００９】
請求項１記載の発明は、ディスク装置の筐体が有するディスクの挿入／排出口に設けられて俯仰動作可能に軸支された蓋部と、ディスクの搬送動作を行うローラを回転可能に支持すると共に前記蓋部の俯仰動作に伴い当該ローラを昇降させる支持部と、が一体に設けられた回動部材を有し、前記蓋部の先端部に折曲部が設けられ、当該蓋部が伏せたとき当該折曲部の先端縁が前記挿入／排出口の開口縁のうち前記先端縁に対向する位置の開口縁に当接して当該挿入／排出口を閉じることを特徴とするディスク装置である。
【００１０】
請求項２記載の発明は、請求項１に記載のディスク装置において、前記挿入／排出口の開口部は、挿入又は排出される前記ディスクの盤面内周部から外周部に向かうにつれて当該開口部の隙間が小さくなるよう設けられることを特徴とする。
【発明の効果】
【００１１】
本発明によれば、効率的な設計によるディスク装置を提供できる。
【発明を実施するための最良の形態】
【００１２】
以下、図を参照して本発明の実施形態を詳細に説明する。
図１に、本発明の実施形態によるディスク装置１を示す。図１（ａ）はディスク挿入／排出口１２が開いている場合、図１（ｂ）は閉じている場合を示す。
【００１３】
ディスク装置１は、回動部材１１を有する。回動部材１１は、ディスク装置１の箱状の筐体２に対して回動可能に設けられ、その蓋部１１ａが回動部材１１の回動動作により俯仰してディスク挿入／排出口１２を開閉する。図１（ａ）に示すように、蓋部１１ａが下方へ伏せるとディスク挿入／排出口１２は開き、図１（ｂ）に示すように、蓋部１１ａが上方へ仰ぐとディスク挿入／排出口１２は閉じる。
【００１４】
ディスク装置１は、ディスク挿入／排出口１２からディスクを挿入又は排出する。ディスク挿入／排出口１２は、下方に伏せた蓋部１１ａとディスク装置１の筐体２との間の隙間である。ディスク挿入／排出口１２は、図１（ａ）に示すように、挿入又は排出されるディスクの盤面中央部から外周部の位置に向かうにつれて開口部の隙間が小さくなるよう設けられる。
【００１５】
図２に、回動部材１１の構成を示す。
図２に示すように、蓋部１１ａは断面鉤型状の折曲部を形成する縁部１１ｂを有している。蓋部１１ａは、回動部材１１が上方へ回動したときに、後述する箱体２の段部２ｂ（図３参照）と当接してディスク挿入／排出口１２を閉じる。縁部１１ｂは、挿入又は排出されるディスクの盤面中央部から外周部の位置に向かうにつれてディスクの盤面に近付くよう傾斜し、後述する筐体２の縁部２ａと協働でディスク挿入／排出口１２を形成する。
【００１６】
図３に、筐体２のディスク挿入／排出口１２付近の構造を示す。図２に示す筐体２は、図１に示すディスク装置１の上下を反転している。
図３に示すように、筐体２は、ディスク挿入／排出口１２付近に縁部２ａを有している。縁部２ａは、挿入又は排出されるディスクの盤面中央部から外周部の位置に向かうにつれてディスクの盤面に近付くよう傾斜し、回動部材１１の縁部１１ｂと協働でディスク挿入／排出口１２を形成する。
【００１７】
筐体２は、縁部２ａに対してディスクの排出方向側に、段部２ｂを有している。段部２ｂは、挿入又は排出されるディスクの盤面中央部から外周部の位置に向かうにつれてディスクの盤面から遠ざかるよう傾斜している。
【００１８】
図４に、ディスク装置１の上下を反転した図を示す。
図１（ｂ）及び図４に示すように、回動部材１１の縁部１１ｂと、筐体２の段部２ｂとは噛み合うよう当接してディスク挿入／排出口１２を閉じる。
【００１９】
図５に、図１（ａ）のＡ−Ａ断面図を示す。図５（ａ）はディスクＤの挿入又は排出中、図５（ｂ）はディスクＤの挿入後を示す。
【００２０】
回動部材１１は、回動軸１１ｃを有する。回動軸１１ｃは、筐体２に設けられた支持部（図示略）によって回転可能に支持される。回動部材１１は、回動軸１１ｃを軸として回動する。
【００２１】
回動部材１１のうち、回動軸１１ｃより蓋部１１ａ側の部分は、ばね１４によってディスクＤの挿入方向側（図５（ａ），（ｂ）の左側）へと付勢される。即ち、蓋部１１ａは、ばね１４の付勢によって下方に伏せてディスク挿入／排出口１２を開く。回動部材１１は、ディスクＤがディスク装置１内にないとき、ディスク挿入／排出口１２を開くよう設けられる。
【００２２】
図２及び図５（ａ），（ｂ）に示すように、回動部材１１は、ローラ支持部１１ｄを有する。ローラ支持部１１ｄは、ローラ１６を回転可能に支持する。ローラ支持部１１ｄは、回動軸１１ｃを挟んで蓋部１１ａの反対側に設けられ、回動部材１１が回動するとき、蓋部１１ａと逆方向の回動動作を行う。従って、図５（ａ）に示すように、蓋部１１ａが下方へと回動してディスク挿入／排出口１２が開くとき、ローラ支持部１１ｄは上方へと回動してローラ１６をディスクＤの下面部に当接させる。
【００２３】
ローラ１６は、ギヤ１６ａと一体に形成されている。ギヤ１６ａは、ローラ１６がディスクＤの下面部に当接する位置において、ローラ駆動ギヤ１９と噛合するよう設けられている。ローラ駆動ギヤ１９は、図示しないローラ駆動モータ等の駆動部によって回転駆動され、ギヤ１６ａを介してローラ１６に回転力を伝達する。従って、図５（ａ）に示す位置にローラ１６があるとき、ローラ１６は回転し、ディスクＤを搬送する。
【００２４】
ディスクＤの挿入検知は、ディスク挿入検知センサ３によって行われる。ディスク挿入検知センサ３は、ディスク挿入／排出口１２の内側に設けられ、挿入又は排出されるディスクＤを検知する。
【００２５】
挿入されたディスクＤの位置検知は、ディスクエンド検知センサ４によって行われる。ディスクエンド検知センサ４は、ディスクＤの盤面の外周端の近接を検知する。ディスクエンド検知センサ４によるディスクＤの検知により、ディスクＤの中央の穴部Ｄ１がターンテーブル５のディスク保持部６の上方に位置するようローラ１６の回転が制御される。
【００２６】
ターンテーブル５はディスクＤを回転駆動する機構であり、その上部にディスク保持部６を有する。ディスク保持部６は、ディスクＤの盤面中央に設けられた穴部Ｄ１と嵌合することでディスクＤを保持する。
【００２７】
ディスクＤの中央の穴部Ｄ１がターンテーブル５のディスク保持部６の上方に位置した後、回動部材１１が回動してローラ支持部１１ｄ及びローラ１６が下方へと伏せ、ローラ１６はディスクの下面部から離隔する。同時に、蓋部１１ａは上方へと仰いでディスク挿入／排出口１２を閉じる。
【００２８】
ターンテーブル５の上方にはディスククランプレバー７が設けられている。ディスククランプレバー７は、その先端部がディスク保持部５に対して上下に回動する。ディスクＤの中央の穴部Ｄ１がターンテーブル５のディスク保持部６の上方に位置すると、図５（ｂ）に示すように、ディスククランプレバー７が下方へと伏せることにより、その先端部のクランパ７ａがディスクＤを下方へと押圧してディスクＤをディスク保持部６に嵌め込む。ターンテーブル５は、ディスク保持部６に嵌め込まれたディスクＤを回転駆動し、図示しない読取部によりその記録内容を読み取る。このとき、蓋部１１ａはディスク挿入／排出口１２を閉じるので、ディスク装置１内への粉塵等の異物の侵入を防ぐ。
【００２９】
ディスクＤを排出する場合、まずディスククランプレバー７が上方へ仰ぐ。その後、回動部材１１が蓋部１１ａを下方へ伏せるよう回動動作し、ディスク挿入／排出口１２を開く。同時に、ローラ支持部１１ｄが上方へと仰いでローラ１６を介してディスクＤを押し上げる。押し上げられたディスクＤは、ディスク保持部６との嵌合を解消される。その後、ローラ１６が回転してディスクＤを排出する。
【００３０】
ディスク装置１に対するディスクＤの挿入は、手動で行う。ディスクＤの排出の指示は、図示しないイジェクトボタンの操作によって行う。
【００３１】
次に、回動部材１１及びディスククランプレバー７の回動動作の仕組みについて説明する。
図６に、図１（ａ）のＢ−Ｂ断面図を示す。図６（ａ）はローラ支持部１１ｄ及びディスククランプレバー７が上方に回動している場合、図６（ｂ）はローラ支持部１１ｄ及びディスククランプレバー７が下方に回動している場合を示す。
【００３２】
ディスク装置の防塵機構１０は、連動部として機能するスライドカム２１を有する。スライドカム２１は、筐体２の側部の壁面内側に設けられる。スライドカム２１は、ディスクＤの挿入／排出方向に沿って稼動可能に設けられた板状の部材であり、ギヤ部２１ａと噛合するピニオンギヤ２２の回転駆動によって稼動する。スライドカム２１の稼動方向は、ディスクＤの搬送方向に沿う。ピニオンギヤ２２は、図示しないスライドカム駆動モータ等の駆動部により回転駆動される。
【００３３】
図６（ａ）、（ｂ）に示すように、スライドカム２１は、溝として設けられたスライド溝２３，２４を有する。スライド溝２３は、ディスククランプレバー７と一体に設けられたピン７ｂをその内側に擁する。
スライド溝２４は、回動部材１１と一体に設けられたピン１１ｅとをその内側に擁する。ピン１１ｅは、回動部材１１のローラ支持部１１ｄ側に設けられる。ばね１４によって蓋部１１ｄを下方へ、ローラ支持部１１ｄを上方へ回動するよう付勢される回動部材１１は、ピン１１ｅがスライド溝２４の上部内壁と当接することでその回動位置を保持されている。
【００３４】
スライド溝２３、２４はそれぞれ、スライドカム２１の稼動に伴ってその内側に擁する各ピンを上下方向に誘導するための傾斜部２３ａ，２４ａを有する。従って、図６（ａ）に示すように、ディスクＤの排出方向側（図６の右側）にスライドカム２１が位置する場合、各スライド溝の傾斜部に沿って各ピンが上方へと誘導されるので、ディスククランプレバー７及びローラ支持部１１ｄは上方に仰ぎ、蓋部１１ａは下方に伏せる。一方、図６（ｂ）に示すように、ディスクＤの挿入方向側（図６の左方向）にスライドカム２１が位置する場合、各スライド溝の傾斜部に沿って各ピンが下方へと誘導されるので、ディスククランプレバー７及びローラ支持部１１ｄは下方に伏せ、蓋部１１ａは上方に仰ぐ。即ち、スライドカム２１は、その稼動位置の変位によって、ディスククランプレバー７及び回動部材１１を回動動作させ、蓋部１１ａ及びローラ支持部１１ｄを俯仰動作させる。
【００３５】
スライドカム２１の稼動位置は、二つのスライドカム位置検知センサ２５，２６によって行われる。スライドカム位置検知センサ２５はスライドカム２１に対してディスクＤの挿入方向側（図６の左側）に設けられ、スライドカム２１の近接を検知する。スライドカム位置検知センサ２４はスライドカム２１の下方に設けられ、スライドカム２１の下部に設けられた段部２１ｂにより生じる検知強度の変化によりスライドカム２１の位置を検知する。ピニオンギヤ２２の回転駆動は、スライドカム位置検知センサ２５，２６の検知結果に基づきスライドカム２１の位置を制御するよう制御される。
【００３６】
各センサによる検知、ターンテーブル５や各駆動モータの駆動制御等の各種動作制御は、図示しない制御部によって行われる。
【００３７】
なお、図５（ａ）、（ｂ）に示すように、ディスク挿入／排出口に対してディスクＤの排出方向側に略防塵材３１を設けてもよい。
図７に略防塵材３１を設けたディスク装置１の斜視図を示す。
略防塵材３１は、フェルト等の布であり、ディスクＤを挿通可能なスリット３１ａが設けられている。略防塵材３１は、図５（ａ）に示すようにディスクＤの挿通時にディスクＤに沿って曲がり、ディスクＤの挿通を妨げない。一方、略防塵材３１は、ディスクＤの非挿通時には図５（ｂ）に示すようにスリット３１ａをほとんど閉じた状態とする。略防塵材３１は、ディスク装置１を覆う外部筐体３２に固定保持される。
【００３８】
上述の実施形態によれば、回動部材１１に蓋部１１ａとローラ支持部１１ｄとが一体に設けられる。従って、回動部材１１の回動動作により、ディスク挿入／排出口１２の開閉動作と、ローラ１６のディスクＤに対する当接又は離隔動作と、を同時に行えるので、効率的な設計によるディスク装置を提供できる。
さらに、縁部１１ｂに断面鉤型状の折曲部が設けられ、蓋体１１が伏せたとき当該折曲部の先端縁がディスク挿入／排出口１２の開口縁のうち蓋体１１の先端縁に対向する位置の筐体２の段部２ａに当接してディスク挿入／排出口１２を閉じる。これによって、ディスク挿入／排出口は良好に閉じるので、良好な防塵効果を得られるディスク装置を提供できる。
【００３９】
さらに、ディスク挿入／排出口１２は、ディスクＤの盤面中央部から外周部に向かって開口部の隙間が小さくなるよう設けられる。これによって、ディスクＤとディスク挿入／排出口１２の内壁との接触は、ディスクＤの外周端部に限られる。つまり、ディスクＤの記録面である内周部とディスク挿入／排出口１２とは接触せず、ディスクＤの記録面は他部材との接触によって傷つくことがない。従って、ディスクＤの記録面を傷つけてしまうことで読み取り不良等を生じさせることのないディスク装置を提供できる。
【００４０】
なお、本発明の実施形態は、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４１】
例えば、本実施形態における各センサは、投光部と受光部とを有し、投光部から照射された光の反射強度を受光部で検知するセンサであるが、これに限定されないことは言うまでもない。例えば、検知対象による光の遮蔽の有無を検知するセンサでもよい。
【００４２】
また、スライドカム２１による各部の回動動作は、個別の駆動部による回動動作によってもよい。
【００４３】
また、ディスクの盤面中央部から外周部に向かって開口部の隙間が小さくなる形状でないディスク挿入／排出口１２を有していてもよい。例えば上下が平行となるよう設けられたディスク挿入／排出口でもよい。
【００４４】
また、各部の回動動作方向は、上述の実施形態に限定されない。
また、ディスク排出後、ディスク挿入が行われるまでディスク挿入／排出口を閉じるようにしてもよい。
【図面の簡単な説明】
【００４５】
【図１】本発明の実施形態によるディスク装置の斜視図である。図１（ａ）はディスク挿入／排出口が開いている場合、図１（ｂ）は閉じている場合を示す。
【図２】回動部材の構成を示す。
【図３】筐体のディスク挿入／排出口付近の構造を示す。
【図４】ディスク装置の上下を反転した図を示す。
【図５】図１（ａ）のＡ−Ａ断面図である。図５（ａ）はディスクの挿入又は排出中、図５（ｂ）はディスクの挿入後を示す。
【図６】図１（ａ）のＢ−Ｂ断面図である。図６（ａ）はローラ支持部及びディスククランプレバー７が上方に回動している場合、図６（ｂ）はローラ支持部及びディスククランプレバー７が下方に回動している場合を示す。
【図７】略防塵材を設けたディスク装置の斜視図である。
【図８】特許文献１のディスク装置を示す図である。
【符号の説明】
【００４６】
２    筐体
３    ディスク挿入検知センサ
４    ディスクエンド検知センサ
５    ターンテーブル
６    ディスク保持部
７    ディスククランプレバー
１１    回動部材
１１ａ    蓋部
１１ｂ    縁部
１１ｄ    ローラ支持部
１２    ディスク挿入／排出口
１４    ばね
１６    ローラ
１９    ローラ駆動ギヤ
２１    スライドカム
２２    ピニオンギヤ
２５、２６    スライドカム位置検知センサ
３１    略防塵材
【図１】
2010044836.tif 000003
【図２】
2010044836.tif 000004
【図３】
2010044836.tif 000005
【図４】
2010044836.tif 000006
【図５】
2010044836.tif 000007
【図６】
2010044836.tif 000008
【図７】
2010044836.tif 000009
【図８】
2010044836.tif 000010